(57)【要約】  プリント配線板（１００）は、強電電源から強電の電力供給を受ける一次回路（１０１）と、強電よりも低電圧の弱電で用いる弱電部品（１０２）及び弱電電源（１１２）から弱電の電力の供給を受ける給電端子台の実装時に使用される弱電回路（１０５）のパターンと、強電で用いる強電部品（１０８）の実装時及び弱電部品（１０２）の実装時に使用される共用回路（１０４）のパターンと、一次回路（１０１）のパターンと共用回路（１０４）のパターンとを絶縁する第１の絶縁部（１０６）と、共用回路（１０４）のパターンと弱電回路（１０５）のパターンとを絶縁する第２の絶縁部（１０７）とを有する。
2016103326.tif 000002
【特許請求の範囲】
【請求項１】
強電電源から強電の電力供給を受ける一次回路のパターンと、
前記強電よりも低電圧の弱電で用いる弱電部品及び弱電電源から前記弱電の電力の供給を受ける給電端子台の実装時に使用される弱電回路のパターンと、
前記強電で用いる強電部品の実装時及び前記弱電部品の実装時に使用される共用回路のパターンと、
前記一次回路のパターンと前記共用回路のパターンとを絶縁する第１の絶縁部と、
前記共用回路のパターンと前記弱電回路のパターンとを絶縁する第２の絶縁部とを有することを特徴とするプリント配線板。
【請求項２】
請求項１に記載のプリント配線板を用いた回路基板であって、
前記一次回路のパターンと前記共用回路のパターンとを接続する第１のジャンパを備え、
前記共用回路に前記強電部品が実装されたことを特徴とする回路基板。
【請求項３】
請求項１に記載のプリント配線板を用いた回路基板であって、
前記共用回路のパターンと前記弱電回路のパターンとを接続する第２のジャンパを備え、
前記弱電回路に前記弱電部品及び前記給電端子台が実装されたことを特徴とする回路基板。
【請求項４】
前記第２のジャンパは、チップ型ジャンパであり、
前記弱電部品のライブ側での前記チップ型ジャンパの沿面距離と前記弱電部品のニュートラル側での前記チップ型ジャンパの沿面距離とを加算した距離は、前記弱電での絶縁距離以上であることを特徴とする請求項３に記載の回路基板。
【請求項５】
前記強電部品は、前記強電で用いる強電モータの接続用の端子台であり、前記弱電部品は、前記弱電で用いる弱電モータの接続用のコネクタであることを特徴とする請求項２から４のいずれか１項に記載の回路基板。
【請求項６】
前記強電部品の実装領域と前記弱電部品の実装領域とが一部重複していることを特徴とする請求項２から５のいずれか１項に記載の回路基板。
【請求項７】
前記強電部品及び前記弱電部品の情報が印字された基板シルクを有し、
前記弱電部品の情報は、前記弱電部品の実装領域に隣接し、かつ前記強電部品の実装領域内に位置するように印字されており、
前記強電部品の情報は、前記強電部品の実装領域に隣接し、かつ前記弱電部品の実装領域内に位置するように印字されていることを特徴とする請求項６に記載の回路基板。
【請求項８】
請求項５に記載の回路基板が用いられ、ダクト空気調和装置においてダクトの開閉を制御する制御ユニットであって、
前記強電モータ及び前記弱電モータは、前記ダクトを開閉するダンパを駆動するダンパモータであることを特徴とする制御ユニット。
【発明の詳細な説明】
【技術分野】
【０００１】
本発明は、強電電源から電力の供給を受ける一次回路のパターンを有するプリント配線板、回路基板及び制御ユニットに関する。
【背景技術】
【０００２】
ジャンパを実装することにより、低電圧回路と高電圧回路とを同じプリント配線板で実現することが特許文献１に開示されている。また、特許文献２に開示される発明は、電源回路で複数の電圧仕様に対応できるようにするものである。
【先行技術文献】
【特許文献】
【０００３】
【特許文献１】特開２０１１−１８７８８号公報
【特許文献２】特開平７−１６２１０９号公報
【発明の概要】
【発明が解決しようとする課題】
【０００４】
電気回路は、国際電気標準会議（International  Electrotechnical  Commission，IEC）のＩＥＣ−６０３３５規格において可接部分が充電部とみなされる４２．４Ｖを超える電圧の回路と、４２．４Ｖ以下の電圧の回路に分けることができ、前者は強電系の回路又は強電回路と称され、後者は弱電系の回路又は弱電回路と称されている。また、４２．４Ｖを超える電圧は強電と称され、４２．４Ｖ以下の電圧は弱電と称されている。強電系の回路で必要となる絶縁距離は、ＩＥＣ−６０３３５に定められている。特許文献１，２は、強電系の回路と弱電系の回路とを同じプリント配線板で実現する方法は開示していない。【０００５】
天井埋め込み型のダクト空気調和装置は、ダクトの開閉制御を行う制御ユニットを備えており、接続されたダクトを通じて各部屋に空気を送る。ダクトの開閉するダンパを駆動するために使用されるモータは、２４Ｖ用と２４０Ｖ用とがあるため、ダクトの開閉制御を行う制御ユニットも二種類が使い分けられる。【０００６】
２４Ｖモータ用の制御ユニットでは、モータとの接続には、コネクタであるモジュラコネクタが使用され、２４０Ｖモータ用の制御ユニットでは、モータとの接続には端子台が使用される。弱電系の回路と強電系の回路とでは、要求される絶縁距離が異なる。２４Ｖ用のコネクタであるモジュラコネクタを強電系の回路で使用すると、絶縁距離が不足する。【０００７】
このため、製品内のモータのような一部の回路だけが異なる場合でも、弱電用のコネクタと強電用の端子台とは、別々にする必要がある。したがって、コネクタ又は端子台を基板実装タイプとした場合、弱電用と強電用とで異なるプリント配線板を用いる必要があり、開発コストが増加する。【０００８】
一方で、コネクタ及び端子台だけをプリント配線板の外に設置する場合、基板外に設置する部品を固定する構造を設けるコスト及び基板外の部品を基板と接続するための配線コストが発生するとともに、装置サイズも大きくなるという問題があった。【０００９】
本発明は、上記に鑑みてなされたものであって、弱電部品を実装する場合と強電部品を実装する場合とで共用可能なプリント配線板を得ることを目的とする。
【課題を解決するための手段】
【００１０】
上述した課題を解決し、目的を達成するために、本発明は、強電電源から強電の電力供給を受ける一次回路のパターンと、強電よりも低電圧の弱電で用いる弱電部品及び弱電電源から弱電の電力の供給を受ける給電端子台の実装時に使用される弱電回路のパターンと、強電で用いる強電部品の実装時及び弱電部品の実装時に使用される共用回路のパターンと、一次回路のパターンと共用回路のパターンとを絶縁する第１の絶縁部と、共用回路のパターンと弱電回路パターンとを絶縁する第２の絶縁部とを有することを特徴とする。
【発明の効果】
【００１１】
本発明にかかるプリント配線板は、弱電部品を実装する場合と強電部品を実装する場合とで共用可能であるという効果を奏する。
【図面の簡単な説明】
【００１２】
【図１】本発明の実施の形態１にかかる回路基板の構成を示すブロック図
【図２】実施の形態１にかかるプリント配線板を適用したモータ制御用の回路基板の構成を示す図
【図３】実施の形態１にかかるプリント配線板を適用したモータ制御用の回路基板の回路構成例を説明するための図
【図４】実施の形態１にかかるプリント配線板を適用した弱電モータ制御用の回路基板の構成を示す図
【図５】実施の形態１にかかるプリント配線板を適用した強電モータ制御用の回路基板の構成を示す図
【図６】実施の形態１にかかる回路基板を適用した制御ユニットを用いたダクト空気調和装置の構成を示す図
【図７】本発明の実施の形態２にかかるプリント配線板の構成を示す図
【図８】実施の形態２にかかるプリント配線板を弱電モータ制御用の回路基板にした状態を示す図
【図９】実施の形態２にかかるプリント配線板を強電モータ制御用の回路基板にした状態を示す図
【発明を実施するための形態】
【００１３】
以下に、本発明の実施の形態にかかるプリント配線板、回路基板及び制御ユニットを図面に基づいて詳細に説明する。なお、この実施の形態によりこの発明が限定されるものではない。
【００１４】
実施の形態１．
図１は、本発明の実施の形態１にかかる回路基板の構成を示すブロック図である。回路基板１５０は、配線パターンが形成されたプリント配線板１００を備えている。プリント配線板１００は、外部の強電電源１１３から電力の供給を受ける一次回路１０１のパターンと、弱電部品１０２又は強電部品１０８が排他実装される部品実装回路１０３のパターンとを備えている。一次回路１０１のパターンと部品実装回路１０３のパターンとの間には、第１の絶縁部１０６が設けられている。第１の絶縁部１０６は、強電電源１１３から供給される電力の電圧値において必要とされる絶縁距離を備えている。
【００１５】
部品実装回路１０３は、弱電部品１０２が実装される場合のみに用いる弱電回路１０５と、弱電部品１０２及び強電部品１０８のどちらが実装される場合にも用いられる共用回路１０４とを含んでいる。
【００１６】
弱電回路１０５と共用回路１０４との間には、第２の絶縁部１０７が設けられている。第２の絶縁部１０７は、一次回路１０１から部品実装回路１０３に供給される電力の電圧値において必要とされる絶縁距離を備えている。部品実装回路１０３に弱電部品が実装される場合、弱電回路１０５には、外部の弱電電源１１２から電力が供給される。
【００１７】
部品実装回路１０３に強電部品が実装される場合、第１の絶縁部１０６に第１のジャンパが実装されて一次回路１０１と部品実装回路１０３とが接続され、強電部品１０８は一次回路１０１から強電が供給される。一方、第２の絶縁部１０７には第２のジャンパは実装されず、共用回路１０４と弱電回路１０５とは絶縁された状態となる。
【００１８】
部品実装回路１０３に弱電部品が実装される場合、第１の絶縁部１０６に第１のジャンパは実装されず、一次回路１０１と部品実装回路１０３とは絶縁状態となる。一方、第２の絶縁部１０７に第２のジャンパが実装されて共用回路１０４と弱電回路１０５とが接続され、弱電部品１０２は弱電回路１０５から弱電が供給される。
【００１９】
図２は、実施の形態１にかかるプリント配線板を適用したモータ制御用の回路基板の構成を示す図である。回路基板２００では、端子台２１３は強電部品であり、強電モータ１１０の接続に用いられる。また、コネクタ２１５は弱電部品であり、弱電モータ１１１の接続に用いられる。一次回路２０１、弱電回路２０３、共用回路２０４、部品実装回路２０５、第１の絶縁部２１０及び第２の絶縁部２１４は、図１で説明した一次回路１０１、弱電回路１０５、共用回路１０４、部品実装回路１０５、第１の絶縁部１０６及び第２の絶縁部１０７と同様である。なお、回路基板２００は、弱電部品であるコネクタ２１５と、強電部品である端子台２１３とが排他実装されるものであるが、図２では説明の便宜上、両方を実装した状態を示している。
【００２０】
図３は、実施の形態１にかかるプリント配線板を適用したモータ制御用の回路基板の回路構成例を説明するための図である。なお、回路基板２００は、弱電部品であるコネクタ２１５ａ及びコネクタ２１５ｂと、強電部品である端子台２１３とが排他実装されるものであるが、図３では説明の便宜上、両方を実装した状態を示している。
【００２１】
一次回路２０１は、強電電源１１３から電力供給を受ける端子台２０８を備える。強電電源１１３が単相電源の場合、ライブＬ及びニュートラルＮの２系統の配線で端子台２０８に電力が供給される。なお、端子台２０８のライブＬ及びニュートラルＮ以外のもう一つの端子は、アースされる。一次回路２０１は、装置を制御するための直流電源を生成する電源回路２１１を備えている。電源回路２１１が生成する直流電源は、後述するリレーの駆動に用いられる。強電電源１１３から端子台２０８に供給された電力は、ライブ配線２１６及びニュートラル配線２１７を通じて電源回路２１１に供給される。また、ライブ配線２１６は、第１の絶縁部２１０にも繋がっている。ニュートラル配線２１７は、第１の絶縁部２１０にも繋がっている。なお、回路基板２００には、電源回路２１１で生成された二次回路が設けられる場合もある。
【００２２】
部品実装回路２０５は、弱電モータ１１１が接続される場合にのみ用いられる弱電回路２０３と、弱電モータ１１１及び強電モータ１１０のどちらが接続される場合にも用いられる共用回路２０４とを有する。
【００２３】
共用回路２０４は、ライブ配線２１８及びニュートラル配線２１９を備える、ライブ配線２１８は第１の絶縁部２１０に第１のジャンパＪ７が実装されると、一次回路２０１のライブ配線２１６に接続される。ニュートラル配線２１９は、第１の絶縁部２１０に第１のジャンパＪ８が接続されると、一次回路２０１のニュートラル配線２１７に接続される。
【００２４】
第１のジャンパＪ７にリードタイプのジャンパを用いて一次回路２０１と共用回路２０４との間に強化絶縁相当の距離である５ｍｍの距離をとりたい場合、１０ｍｍのジャンパを用いると、強化絶縁相当の距離を確保できる。
【００２５】
ライブ配線２１８は、モータのオンオフ及び正転と逆転との切替に用いる第１のリレー２１２ａ及び第２のリレー２１２ｂに接続されている。第１のリレー２１２ａは、ライブ配線２１８を第１の正転用配線２２０及び第１の逆転用配線２２２のいずれか一方に接続する。第２のリレー２１２ｂは、ライブ配線２１８を第２の正転用配線２２３及び第２の逆転用配線２２５のいずれか一方に接続する。ニュートラル配線２１９からは、第１の戻り電流配線２２１及び第２の戻り電流配線２２４が延在している。第１の正転用配線２２０、第１の戻り電流配線２２１、第１の逆転用配線２２２、第２の正転用配線２２３、第２の戻り電流配線２２４及び第２の逆転用配線２２５は、第２の絶縁部２１４に繋がっている。
【００２６】
また、第１の正転用配線２２０、第１の戻り電流配線２２１、第１の逆転用配線２２２、第２の正転用配線２２３、第２の戻り電流配線２２４及び第２の逆転用配線２２５には、端子台２１３の実装用のパッドが設けられている。なお、図３では、端子台２１３の陰となって実装用パッドは不図示となっている。端子台２１３は、基板実装タイプの端子台であり、強電モータ１１０を接続するために用いられる。端子台２１３のピン同士の間隔は、強電で用いる場合でも絶縁距離が確保される距離となっている。
【００２７】
弱電回路２０３は、第１の正転用配線２２６、第１の戻り電流配線２２７、第１の逆転用配線２２８、第２の正転用配線２２９、第２の戻り電流配線２３０及び第２の逆転用配線２３１を有する。第１の正転用配線２２６、第１の戻り電流配線２２７、第１の逆転用配線２２８、第２の正転用配線２２９、第２の戻り電流配線２３０及び第２の逆転用配線２３１は、第２の絶縁部２１４から延在している。第１の正転用配線２２６は、第２の絶縁部２１４に第２のジャンパＪ１が実装されると、共用回路２０４の第１の正転用配線２２０に接続される。第１の戻り電流配線２２７は、第２の絶縁部２１４に第２のジャンパＪ２が実装されると、共用回路２０４の第１の戻り電流配線２２１に接続される。第１の逆転用配線２２８は、第２の絶縁部２１４に第２のジャンパＪ３が実装されると、共用回路２０４の第１の逆転用配線２２２に接続される。第２の正転用配線２２９は、第２の絶縁部２１４に第２のジャンパＪ４が実装されると、共用回路２０４の第２の正転用配線２２３に接続される。第２の戻り電流配線２３０は、第２の絶縁部２１４に第２のジャンパＪ５が実装されると、共用回路２０４の第２の戻り電流配線２２４に接続される。第２の逆転用配線２３１は、第２の絶縁部２１４に第２のジャンパＪ６が実装されると、共用回路２０４の第２の逆転用配線２２５に接続される。
【００２８】
ライブとニュートラルとの間で機能絶縁で３ｍｍの距離をとる必要がある場合、第２のジャンパＪ１からＪ６の各々の間には、第１のリレー２１２ａ及び第２のリレー２１２ｂの状態に対応した機能絶縁が必要となる。ジャンパに、３２１６サイズの０Ωのチップ型ジャンパを用いると、一つにつき沿面距離を１．６ｍｍとることができる。したがって、第２のジャンパＪ１からＪ６に３２１６サイズ以上のサイズの抵抗を用いることで、ライブ側及びニュートラル側の両方を併せて３．２ｍｍ以上の絶縁距離を確保できる。
【００２９】
第１の正転用配線２２６、第１の戻り電流配線２２７及び第１の逆転用配線２２８は、弱電モータ１１１を接続するためのコネクタ２１５ａに接続されている。第２の正転用配線２２９、第２の戻り電流配線２３０及び第２の逆転用配線２３１は、弱電モータ１１１を接続するためのコネクタ２１５ｂに接続されている。コネクタ２１５ａ及びコネクタ２１５ｂは、弱電用のコネクタであるため、強電系の回路に用いると絶縁距離が不足する。
【００３０】
弱電回路２０３は、ライブ配線２３２及びニュートラル配線２３３を備えている。ライブ配線２３２及びニュートラル配線２３３には、端子台２３４の実装用のパッドが設けられている。なお、図３では、端子台２３４の陰となって実装用パッドは不図示となっている。ライブ配線２３２は、共用回路２０４のライブ配線２１８に接続されている。ニュートラル配線２３３は共用回路２０４のニュートラル配線２１９に接続されている。
【００３１】
図４は、実施の形態１にかかるプリント配線板を適用した弱電モータ制御用の回路基板の構成を示す図である。弱電モータ制御用とした回路基板２００は、第１の絶縁部２１０に第１のジャンパＪ７及びＪ８は実装されておらず、一次回路２０１のライブ配線２１６と共用回路２０４のライブ配線２１８とは分離されている。また、一次回路２０１のニュートラル配線２１７と共用回路２０４のニュートラル配線２１９とは分離されている。
【００３２】
一方、第２の絶縁部２１４に第２のジャンパＪ１からＪ６が実装されている。したがって、弱電回路２０３の第１の正転用配線２２６は、共用回路２０４の第１の正転用配線２２０に接続されている。弱電回路２０３の第１の戻り電流配線２２７は、共用回路２０４の第１の戻り電流配線２２１に接続されている。弱電回路２０３の第１の逆転用配線２２８は、共用回路２０４の第１の逆転用配線２２２に接続されている。弱電回路２０３の第２の正転用配線２２９は、共用回路２０４の第２の正転用配線２２３に接続されている。弱電回路２０３の第２の戻り電流配線２３０は、共用回路２０４の第２の戻り電流配線２２４に接続されている。弱電回路２０３の第２の逆転用配線２３１は、共用回路２０４の第２の逆転用配線２２５に接続されている。
【００３３】
弱電回路２０３には、コネクタ２１５ａ及びコネクタ２１５ｂが実装されており、第１の正転用配線２２６、第１の戻り電流配線２２７及び第１の逆転用配線２２８は、コネクタ２１５ａに接続されている。第２の正転用配線２２９、第２の戻り電流配線２３０及び第２の逆転用配線２３１は、コネクタ２１５ｂに接続されている。
【００３４】
また、弱電回路２０３には、端子台２３４が実装されており、ライブ配線２３２は共用回路２０４のライブ配線２１８に接続されている。また、ニュートラル配線２３３は、共用回路２０４のニュートラル配線２１９に接続されている。共用回路２０４には、端子台２１３は実装されていない。
【００３５】
弱電電源１１２から供給される弱電のライブ側は、端子台２３４からライブ配線２３２及びライブ配線２１８を通じて、第１のリレー２１２ａ及び第２のリレー２１２ｂに供給される。第１のリレー２１２ａは、ライブ配線２１８を第１の正転用配線２２０又は第１の逆転用配線２２２の一方に接続する。第１のリレー２１２ａがライブ配線２１８を第１の正転用配線２２０に接続する場合、第２のジャンパＪ１及び弱電回路２０３の第１の正転用配線２２６を通じてコネクタ２１５ａの正転用端子に電力が供給される。第１のリレー２１２ａがライブ配線２１８を第１の逆転用配線２２２に接続する場合、第２のジャンパＪ３及び弱電回路２０３の第１の逆転用配線２２８を通じてコネクタ２１５ａの逆転用端子に電力が供給される。第２のリレー２１２ｂは、ライブ配線２１８を第２の正転用配線２２３又は第２の逆転用配線２２５の一方に接続する。第２のリレー２１２ｂがライブ配線２１８を第２の正転用配線２２３に接続する場合、第２のジャンパＪ４及び弱電回路２０３の第２の正転用配線２２９を通じてコネクタ２１５ｂの正転用端子に電力が供給される。第２のリレー２１２ｂがライブ配線２１８を第２の逆転用配線２２５に接続する場合、第２のジャンパＪ６及び弱電回路２０３の第２の逆転用配線２３１を通じてコネクタ２１５ｂの逆転用端子に電力が供給される。なお、実施の形態１において、弱電は２４Ｖである。
【００３６】
弱電電源１１２から供給される弱電のニュートラル側は、端子台２３４からニュートラル配線２３３、第１の戻り電流配線２２１、第２のジャンパＪ２、第１の戻り電流配線２２７を通じて、コネクタ２１５ａに供給される。また、弱電電源１１２から供給される２４Ｖの電力のニュートラル側は、端子台２３４からニュートラル配線２３３、第２の戻り電流配線２２４、第２のジャンパＪ５、第２の戻り電流配線２３０を通じて、コネクタ２１５ｂに供給される。
【００３７】
図５は、実施の形態１にかかるプリント配線板を適用した強電モータ制御用の回路基板の構成を示す図である。強電モータ制御用とした回路基板２００は、第１の絶縁部２１０に第１のジャンパＪ７及びＪ８が実装されており、一次回路２０１のライブ配線２１６と共用回路２０４のライブ配線２１８とが接続されている。また、一次回路２０１のニュートラル配線２１７と共用回路２０４のニュートラル配線２１９とが接続されている。
【００３８】
一方、第２の絶縁部２１４に第２のジャンパＪ１からＪ６は実装されていない。したがって、弱電回路２０３の第１の正転用配線２２６と、共用回路２０４の第１の正転用配線２２０とは分離されている。弱電回路２０３の第１の戻り電流配線２２７と、共用回路２０４の第１の戻り電流配線２２１とは分離されている。弱電回路２０３の第１の逆転用配線２２８と、共用回路２０４の第１の逆転用配線２２２とは分離されている。弱電回路２０３の第２の正転用配線２２９と、共用回路２０４の第２の正転用配線２２３とは分離されている。弱電回路２０３の第２の戻り電流配線２３０と、共用回路２０４の第２の戻り電流配線２２４とは分離されている。弱電回路２０３の第２の逆転用配線２３１と、共用回路２０４１の第２の逆転用配線２２５とは分離されている。
【００３９】
弱電回路２０３には、コネクタ２１５ａ、コネクタ２１５ｂ及び端子台２３４は実装されていない。
【００４０】
共用回路２０４には、端子台２１３が実装されており、第１の正転用配線２２０は、第１の正転用端子２１３ａに接続されている。第１の戻り電流用配線２２１は、第１の戻り電流用端子２１３ｂに接続されている。第１の逆転用配線２２２は、第１の逆転用端子２１３ｃに接続されている。第２の正転用配線２２３は、第２の正転用端子２１３ｄに接続されている。第２の戻り電流用配線２２４は、第２の戻り電流用端子２１３ｅに接続されている。第２の逆転用配線２２５は、第２の逆転用端子２１３ｆに接続されている。
【００４１】
強電電源１１３から供給される強電のライブ側は、端子台２０８からライブ配線２１６、第１のジャンパＪ７及びライブ配線２１８を通じて、第１のリレー２１２ａ及び第２のリレー２１２ｂに供給される。第１のリレー２１２ａは、ライブ配線２１８を第１の正転用配線２２０又は第１の逆転用配線２２２に接続する。第１のリレー２１２ａがライブ配線２１８を第１の正転用配線２２０に接続する場合、第１の正転用配線２２０を通じて端子台２１３の第１の正転用端子２１３ａに電力が供給される。第１のリレー２１２ａがライブ配線２１８を第１の逆転用配線２２２に接続する場合、第１の逆転用配線２２２を通じて端子台２１３の第１の逆転用端子２１３ｃに電力が供給される。第２のリレー２１２ｂは、ライブ配線２１８を第２の正転用配線２２３又は第２の逆転用配線２２５に接続する。第２のリレー２１２ｂがライブ配線２１８を第２の正転用配線２２３に接続する場合、第２の正転用配線２２３を通じて端子台２１３の第２の正転用端子２１３ｄに電力が供給される。第２のリレー２１２ｂがライブ配線２１８を第２の逆転用配線２２５に接続する場合、第２の逆転用配線２２５を通じて端子台２１３の第２の逆転用端子２１３ｆに電力が供給される。なお、実施の形態１において、強電は２４０Ｖである。
【００４２】
強電電源１１３から供給される強電のニュートラル側は、端子台２０８からニュートラル配線２１７、第１のジャンパＪ８、ニュートラル配線２１９及び第１の戻り電流配線２２１を通じて、端子台２１３の第１の戻り電流端子２１３ｂに供給される。また、強電電源１１３から供給される強電のニュートラル側は、端子台２０８からニュートラル配線２１７、第１のジャンパＪ８、ニュートラル配線２１９及び第２の戻り電流配線２２４を通じて、端子台２１３の第２の戻り電流端子２１３ｅに供給される。
【００４３】
なお、端子台２３４はライブ配線２３２及びニュートラル配線２３３に接続されるため、ライブ配線２３２及びニュートラル配線２３３を途中で分断し、分断した部分にジャンパを設けるようにしてもよい。ライブ配線２３２及びニュートラル配線２３３を途中で分断することにより、強電モータ１１０を使用する場合には、ライブ配線２３２及びニュートラル配線２３３上のジャンパを非実装にして、ライブ配線２３２とニュートラル配線２３３との間の絶縁距離を確保することが可能となる。
【００４４】
実施の形態１にかかる回路基板を適用した制御ユニットは、ダクト空気調和装置の開閉制御ユニットに用いることができる。図６は、実施の形態１にかかる回路基板を適用した制御ユニットを用いたダクト空気調和装置の構成を示す図である。天井１０の裏に設置されるダクト空気調和装置１は、ダクト２の開閉を行うダンパ１１と、ダンパ１１を駆動するダンパモータ１３と、ダクト１６の開閉を行うダンパ１２と、ダンパ１２を駆動するダンパモータ１４と、ダンパモータ１３及びダンパモータ１４を制御する制御ユニット１５とを有している。ダンパモータ１３及びダンパモータ１４は、弱電で動作する弱電モータ又は強電で動作する強電モータのどちらかが用いられる。制御ユニット１５は、プリント配線板を共通にして、ダンパモータ１３，１４に弱電モータ及び強電モータのどちらが用いられるかに合わせて、弱電部品又は強電部品を実装することで、弱電用又は強電用の構成にすることができる。
【００４５】
このように、実施の形態１にかかるプリント配線板は、弱電部品を実装して弱電系の回路構成とすることも、強電部品を実装して強電系の回路構成とすることもできる。弱電系の回路と強電系の回路とでプリント配線板を共通化することで、同一基板において部品実装面積を削減して小型化を実現するとともに、製造コストを低減できる。また、プリント配線板を複数設計及び製造しなくて済むことにより、開発コストを低減できる。組立工程及び部品点数の増加を防止することにより、製造段階における環境負荷を低減することができる。
【００４６】
また、実施の形態１にかかるプリント配線板は、一次回路と共用回路との絶縁及び、共用回路と弱電回路との絶縁を実現できるため、短絡の発生を防止して製品の長寿命化を図ることができる。
【００４７】
実施の形態２．
図７は、本発明の実施の形態２にかかるプリント配線板の構成を示す図である。プリント配線板３００の表面は、基板シルク３１０で覆われている。実施の形態２においては、基板シルク３１０は、部品の接続先及び部品識別文字が印字されている。
【００４８】
基板シルク３１０には、強電電源から電力の供給を受ける端子台が実装される電源端子台実装部３０１、弱電電源から電力の供給を受ける端子台が実装される給電端子台実装部３０２、強電モータを接続する端子台が実装される強電モータ用端子台実装部３０３及び弱電モータを接続するコネクタが実装される弱電モータ用コネクタ実装部３０４が印字されている。電源端子台実装部３０１、給電端子台実装部３０２、強電モータ用端子台実装部３０３及び弱電モータ用コネクタ実装部３０４は、部品の接続先を示している。弱電モータ用コネクタ実装部３０４は、弱電部品の情報であり、強電モータ用端子台実装部３０３は、強電部品の情報である。
【００４９】
なお、弱電モータ用コネクタ実装部３０４は、強電モータ用端子台実装部３０３の一部分と重複している。基板シルク３１０は、強電モータ用端子台実装部３０３と弱電モータ用コネクタ実装部３０４とが重複する部分には、弱電モータ用のコネクタを実装するための穴３０４ａ，３０４ｂが形成されている。
【００５０】
電源端子台情報３０５は、電源端子台実装部３０１に隣接して印字されている。給電端子台情報３０６は、給電端子台実装部３０２に隣接して印字されている。コネクタ情報３０７は、弱電モータ用コネクタ実装部３０４に隣接し、かつ強電モータ用端子台実装部３０３内に位置するように印字されている。端子台情報３０８は、強電モータ用端子台実装部３０３に隣接し、かつ弱電モータ用コネクタ実装部３０４内に位置するように印字されている。電源端子台情報３０５、給電端子台情報３０６、コネクタ情報３０７及び端子台情報３０８は、部品識別文字である。コネクタ情報３０７は、弱電部品の情報であり、端子台情報３０８は、強電部品の情報である。
【００５１】
図８は、実施の形態２にかかるプリント配線板を弱電モータ制御用の回路基板にした状態を示す図である。プリント配線板３００を用いて弱電モータ用の制御基板を構成する場合には、電源端子台実装部３０１に電源端子台４０５が実装され、給電端子台実装部３０２に給電端子台４０４が実装され、弱電モータ用コネクタ実装部３０４に弱電モータ用のコネクタ４０３が実装される。なお、弱電モータ用のコネクタ４０３は、弱電モータ用コネクタ実装部３０４が印字された部分からはみ出し、端子台情報３０８に被さるように実装される。弱電モータ用のコネクタ４０３は、実施の形態２においてはＲＪ１２規格のモジュラコネクタである。
【００５２】
図９は、実施の形態２にかかるプリント配線板を強電モータ制御用の回路基板にした状態を示す図である。プリント配線板３００を用いて強電モータ用のモータ制御基板を構成する場合には、電源端子台実装部３０１に電源端子台４０５が実装され、強電モータ用端子台実装部３０３に強電端子用の端子台４０６が実装される。
【００５３】
通常、弱電系のコネクタと強電系の端子台とは、絶縁距離の関係で近づけて配置されることはない。実施の形態２では、実施の形態１と同様に、一次回路と共用回路との間に第１の絶縁部が設けられ、共用回路と弱電回路との間に第２の絶縁部が設けられているため、弱電モータ用コネクタ実装部３０４と強電モータ用端子台実装部３０３とを一部重複させ、端子台とコネクタとの排他実装を実現できる。
【００５４】
弱電モータ用コネクタ実装部３０４にコネクタ４０３を実装すると、基板シルク３１０に印字されている強電部品の情報である端子台情報３０８は、コネクタ４０３によって覆い隠される。また、強電モータ用端子台実装部３０３に端子台４０６を実装すると、基板シルク３１０に印字されている弱電部品の情報であるコネクタ情報３０７は、端子台４０６によって覆い隠される。したがって、コネクタ４０３及び端子台４０６のどちらを実装する場合でも、実装した方の部品の情報のみが視認できる状態となり、実装しなかった方の部品の情報を誤って読み取ってしまうことを防止できる。
【００５５】
コネクタ４０３を実装する場合と端子台４０６を実装する場合とで基板シルク３１０を共用できない場合には、基板ごとに基板シルクを別々にするか、シールを貼って区別する必要があり、製造コストが増加するが、実施の形態２では、基板シルク３１０は、コネクタ４０３を実装する場合と端子台４０６を実装する場合とで共用できるため、製造コストの増加を抑えることができる。
【００５６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５７】
１  ダクト空気調和装置、２，１６  ダクト、１０  天井、１１，１２  ダンパ、１３，１４  ダンパモータ、１５  制御ユニット、１００，３００  プリント配線板、１０１，２０１  一次回路、１０２  弱電部品、１０３，２０５  部品実装回路、１０４，２０４  共用回路、１０５，２０３  弱電回路、１０６，２１０  第１の絶縁部、１０７，２１４  第２の絶縁部、１０８  強電部品、１１０  強電モータ、１１１  弱電モータ、１１２  弱電電源、１１３  強電電源、１５０，２００  回路基板、２０８，２１３，２３４  端子台、２１１  電源回路、２１２ａ  第１のリレー、２１２ｂ  第２のリレー、２１３ａ  第１の正転用端子、２１３ｂ  第１の戻り電流用端子、２１３ｃ  第１の逆転用端子、２１３ｄ  第２の正転用端子、２１３ｅ  第２の戻り電流用端子、２１３ｆ  第２の逆転用端子、２１５  コネクタ、２１６，２１８，２３２  ライブ配線、２１７，２１９，２３３  ニュートラル配線、２２０，２２６  第１の正転用配線、２２１，２２７  第１の戻り電流配線、２２２，２２８  第１の逆転用配線、２２３，２２９  第２の正転用配線、２２４，２３０  第２の戻り電流配線、２２５，２３１  第２の逆転用配線、３０１  電源端子台実装部、３０２  給電端子台実装部、３０３  強電モータ用端子台実装部、３０４  弱電モータ用コネクタ実装部、３０４ａ，３０４ｂ  穴、３０５  電源端子台情報、３０６  給電端子台情報、３０７  コネクタ情報、３０８  端子台情報、３１０  基板シルク。
【図１】
2016103326.tif 000003
【図２】
2016103326.tif 000004
【図３】
2016103326.tif 000005
【図４】
2016103326.tif 000006
【図５】
2016103326.tif 000007
【図６】
2016103326.tif 000008
【図７】
2016103326.tif 000009
【図８】
2016103326.tif 000010
【図９】
2016103326.tif 000011
【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
強電電源から強電の電力供給を受ける一次回路のパターンと、
弱電電源から前記強電よりも低電圧の弱電の電力の供給を受ける弱電回路のパターンと、
前記強電で用いる強電部品の実装時及び前記弱電で用いる弱電部品の実装時に使用される共用回路のパターンと、
前記一次回路のパターンと前記共用回路のパターンとを絶縁する第１の絶縁部と、
前記共用回路のパターンと前記弱電回路のパターンとを絶縁する第２の絶縁部とを有することを特徴とするプリント配線板。
【請求項２】
請求項１に記載のプリント配線板を用いた回路基板であって、
前記一次回路のパターンと前記共用回路のパターンとを接続する第１のジャンパを備え、
前記共用回路に前記強電部品が実装されたことを特徴とする回路基板。
【請求項３】
請求項１に記載のプリント配線板を用いた回路基板であって、
前記共用回路のパターンと前記弱電回路のパターンとを接続する第２のジャンパを備え、
前記弱電回路に前記弱電部品及び前記弱電の電力供給を受けるための給電端子台が実装されたことを特徴とする回路基板。
【請求項４】
前記第２のジャンパは、チップ型ジャンパであり、
前記弱電部品のライブ側での前記チップ型ジャンパの沿面距離と前記弱電部品のニュートラル側での前記チップ型ジャンパの沿面距離とを加算した距離は、前記弱電での絶縁距離以上であることを特徴とする請求項３に記載の回路基板。
【請求項５】
前記強電部品は、前記強電で用いる強電モータの接続用の端子台であり、前記弱電部品は、前記弱電で用いる弱電モータの接続用のコネクタであることを特徴とする請求項２から４のいずれか１項に記載の回路基板。
【請求項６】
前記強電部品の実装領域と前記弱電部品の実装領域とが一部重複していることを特徴とする請求項２から５のいずれか１項に記載の回路基板。
【請求項７】
前記強電部品及び前記弱電部品の情報が印字された基板シルクを有し、
前記弱電部品の情報は、前記弱電部品の実装領域に隣接し、かつ前記強電部品の実装領域内に位置するように印字されており、
前記強電部品の情報は、前記強電部品の実装領域に隣接し、かつ前記弱電部品の実装領域内に位置するように印字されていることを特徴とする請求項６に記載の回路基板。
【請求項８】
請求項５に記載の回路基板が用いられ、ダクト空気調和装置においてダクトの開閉を制御する制御ユニットであって、
前記強電モータ及び前記弱電モータは、前記ダクトを開閉するダンパを駆動するダンパモータであることを特徴とする制御ユニット。
【国際調査報告】
2016103326.tif 000012
2016103326.tif 000013
2016103326.tif 000014
2016103326.tif 000015